(57)【要約】【課題】この発明は、電子番組表の表示領域を容易な操作で効率的に切り換え可能とし、ユーザにとっての取り扱いを便利にするようにした番組表表示装置及び番組表表示方法を提供することを目的としている。【解決手段】放送信号やネットワークを介して取得したＥＰＧ情報に基づいて電子番組表を作成する。そして、作成された電子番組表を所定の領域１４ａ内に部分的に切り換えて表示する際、方向を指定すると、表示された電子番組表の領域１４ａを、指定された方向に存在し、該表示された領域１４ａに連続する領域にページ切り換えを可能とする。【選択図】    図８
2006086847.tif 000002
【特許請求の範囲】
【請求項１】
番組情報を取得する取得手段と、
前記取得手段で取得した番組情報に基づいて電子番組表を作成する作成手段と、
前記作成手段で作成された電子番組表の一部の領域を表示する表示手段と、
前記表示手段で表示された電子番組表の領域を、指定された方向に存在し、該表示された領域に連続する領域にページ切り換えを行なう切換手段とを具備することを特徴とする番組表表示装置。
【請求項２】
前記切換手段は、現在より過去になった時間帯へのページ切り換えを不可に制御することを特徴とする請求項１記載の番組表表示装置。
【請求項３】
前記切換手段は、前記番組情報が取得されていない時間帯へのページ切り換えを不可に制御することを特徴とする請求項１記載の番組表表示装置。
【請求項４】
前記切換手段は、ページ切り換えを行なう方向を、画面上で上下左右方向に選択的に指定可能とする操作子を備えることを特徴とする請求項１記載の番組表表示装置。
【請求項５】
前記切換手段は、ページ切り換えを行なう方向を、画面上で上下左右及び斜め方向に選択的に指定可能とする操作子を備えることを特徴とする請求項１記載の番組表表示装置。
【請求項６】
前記切換手段は、ページ切り換えを行なう方向を任意に指定可能とするジョイスティック構造の操作子を備えることを特徴とする請求項１記載の番組表表示装置。
【請求項７】
前記操作子は、リモートコントローラに設置されることを特徴とする請求項４乃至６いずれかに記載の番組表表示装置。
【請求項８】
前記切換手段は、方向が指定されたとき、一気に表示内容を切り換える形態のページ切り換えを行なうことを特徴とする請求項１記載の番組表表示装置。
【請求項９】
前記切換手段は、方向が指定されたとき、現在の表示内容から目的位置の表示内容へと順次切り換わっていく過程を見せる形態のページ切り換えを行なうことを特徴とする請求項１記載の番組表表示装置。
【請求項１０】
前記電子番組表は、複数のチャンネルを配列したチャンネル軸と日時を配列した日時軸とで構成され、
前記切換手段は、前記チャンネル軸方向に対して循環的なページ切り換えを可能とすることを特徴とする請求項１記載の番組表表示装置。
【請求項１１】
番組情報を取得する工程と、
取得した番組情報に基づいて電子番組表を作成する工程と、
作成された電子番組表の一部の領域を表示する工程と、
表示された電子番組表の領域を、指定された方向に存在し、該表示された領域に連続する領域にページ切り換えを行なう工程とを具備することを特徴とする番組表表示方法。
【発明の詳細な説明】
【技術分野】
【０００１】
この発明は、例えばデジタルテレビジョン放送受信装置等に使用して好適する番組表表示装置及び番組表表示方法に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
このようなデジタルテレビジョン放送を受信するデジタル放送受信装置にあっては、放送信号から取得したＥＰＧ（Electronic Program Guide）情報に基づいて電子番組表を作成し、画面に映像表示している。そして、ユーザは、映像表示された電子番組表から所望の番組を選択して、視聴や録画予約等を行なうことができる。
【０００４】
ところで、ＥＰＧ情報には、放送される多数のチャンネルのそれぞれに対して約１週間分もの電子番組表を作成可能な情報が含まれている。このため、デジタル放送受信装置においては、限られた画面内に全ての電子番組表を同時に表示させることはできないので、電子番組表を部分的に切り換えながら画面表示させることになる。この場合、いかに電子番組表の表示領域を切り換える操作を容易化し、ユーザの操作性を向上させるように工夫を施すかが重要となる。
【０００５】
特許文献１には、時間軸と放送局の軸とで構成された二次元の番組表に、奥行き方向に日付の軸を追加し、カーソルを全ての軸方向に移動できるようにして、視聴者に直感的に番組の検索や選択を行なわせる技術が開示されている。
【０００６】
また、特許文献２には、ユーザが番組のジャンルを指定し、その指定したジャンルの番組が番組表上で選択されている状態でカーソル移動キーを操作すると、カーソル移動キーによって指示された移動方向で最も近い位置にある同一ジャンルの番組が選択されるようにした技術が開示されている。
【０００７】
さらに、特許文献３には、番組表を仮想３次元立体に構築し、番組表のスクロール時には、各番組データ間のリンク情報を利用して必要最小限の番組に対してのみマッピング位置の変更を行なうことで、ユーザが直感的に操作でき、高速に番組データを表示できるようにした技術が開示されている。
【特許文献１】特開２００１−１６９１９７号公報
【特許文献２】特開２００１−２３８１４５号公報
【特許文献３】特開平１０−９３８８０号公報
【発明の開示】
【発明が解決しようとする課題】
【０００８】
そこで、この発明は上記事情を考慮してなされたもので、電子番組表の表示領域を容易な操作で効率的に切り換え可能とし、ユーザにとっての取り扱いを便利にするようにした番組表表示装置及び番組表表示方法を提供することを目的とする。
【課題を解決するための手段】
【０００９】
この発明に係る番組表表示装置は、番組情報を取得する取得手段と、取得手段で取得した番組情報に基づいて電子番組表を作成する作成手段と、作成手段で作成された電子番組表の一部の領域を表示する表示手段と、表示手段で表示された電子番組表の領域を、指定された方向に存在し、該表示された領域に連続する領域にページ切り換えを行なう切換手段とを備えるようにしたものである。
【００１０】
また、この発明に係る番組表表示方法は、番組情報を取得する工程と、取得した番組情報に基づいて電子番組表を作成する工程と、作成された電子番組表の一部の領域を表示する工程と、表示された電子番組表の領域を、指定された方向に存在し、該表示された領域に連続する領域にページ切り換えを行なう工程とを備えるようにしたものである。
【発明の効果】
【００１１】
上記した発明によれば、表示された電子番組表の領域を、指定された方向に存在し、該表示された領域に連続する領域にページ切り換えを行なうことができるようにしたので、電子番組表の表示領域を容易な操作で効率的に切り換え可能とし、ユーザにとっての取り扱いを便利にすることが可能となる。
【発明を実施するための最良の形態】
【００１２】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１３】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１４】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１５】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１６】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１７】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１８】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００１９】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２０】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２１】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２２】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２３】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２４】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２５】
そして、このチューナ４５で選局された放送信号は、ＰＳＫ（Phase Shift Keying）復調器４６に供給されて、デジタルの映像信号及び音声信号に復調された後、信号処理部４７に出力される。
【００２６】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２７】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２８】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００２９】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００３０】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号及び音声信号を、デジタルテレビジョン放送受信装置１１の外部から入力可能とするものである。
【００３１】
そして、この信号処理部４７は、上記アナログ復調器５３及び各入力端子５６ａ〜５６ｄからそれぞれ供給されたアナログの映像信号及び音声信号を選択的にデジタル化し、そのデジタル化された映像信号及び音声信号に対して所定のデジタル信号処理を施した後、グラフィック処理部５４及び音声処理部５５に出力している。
【００３２】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３３】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換した後、映像表示器１４に出力して映像表示させるとともに、出力端子５９を介して外部に導出させる。
【００３４】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３５】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３６】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００３７】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００３８】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００３９】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００４０】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００４１】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４２】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４３】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４４】
図４は、このデジタルテレビジョン放送受信装置１１が電子番組表を切り換え表示する動作を説明するためのフローチャートを示している。この動作は、ユーザがリモートコントローラ１７の番組表キー１７ｈを操作することによって、開始（ステップＳ４ａ）される。
【００４５】
すると、制御部６１は、ステップＳ４ｂで、予め放送信号やネットワーク等を介して取得した番組情報であるＥＰＧ情報に基づいて電子番組表を作成し、その一部を映像表示器１４に表示させる。この映像表示器１４に表示される電子番組表の部分は、前回に表示されたチャンネルや日時等のラスト条件に基づいて決定される。
【００４６】
図５は、映像表示器１４に表示された電子番組表の一例を示している。この電子番組表は、水平方向に６つの放送局（チャンネル）を配列し、垂直方向に５時間分の時間枠を配列して、番組を表示している。
【００４７】
すなわち、この電子番組表は、６つの放送局（チャンネル）に対応した表示欄Ａ〜Ｆを有し、各表示欄Ａ〜Ｆが、それぞれ、チャンネル番号表示領域Ａ１〜Ｆ１と、放送局名表示領域Ａ２〜Ｆ２と、番組表示領域Ａ３〜Ｆ３とから構成されている。
【００４８】
この場合、例えば、表示欄Ｄ〜Ｆに示すように、同じ放送局が複数（図示の場合は３つ）のチャンネル番号を有する場合には、３つの放送局名表示領域Ｄ２〜Ｆ２が１つの共通の放送局名表示領域として使用される。
【００４９】
また、同じ放送局が複数（図示の場合は３つ）のチャンネル番号でそれぞれ同じ番組を放送する、いわゆるイベント共有が行なわれている時間帯では、３つの番組表示領域Ｄ３〜Ｆ３が１つの共通の番組表示領域として使用される。
【００５０】
さらに、この電子番組表では、その６つの表示欄Ａ〜Ｆの下部に、リモートコントローラ１７のカーソルキー１７ｆによって選択している番組のチャンネル番号、タイトル及び放送時間等を示す選択番組表示領域Ｇが設けられる。この場合、選択されている番組「Ｊ２」は、表示欄Ａ〜Ｆ内において、その番組の表示領域が他の番組の表示領域と色を変えて表示されるが、図５では、ハッチングで囲むことにより表現している。
【００５１】
また、この電子番組表では、その左右に、上から下に向けて１時間毎の時間枠を示す５つの時間領域Ｎ１〜Ｎ５が設けられている。図５では、現在時刻が午前９時１３分であるため、各時間領域Ｎ１〜Ｎ５がそれぞれ午前９時〜午後１時に対応している状態を示している。そして、現在時刻が午前１０時になると、各時間領域Ｎ１〜Ｎ５が、それぞれ午前１０時〜午後２時に対応するように切り換えられる。
【００５２】
ここで、この電子番組表は、リモートコントローラ１７のカーソルキー１７ｆまたはページ切換キー１７ｉを操作することにより、現在画面に表示されている領域の上下左右方向に存在する領域が選択的に表示されるようになっている。
【００５３】
すなわち、リモートコントローラ１７のカーソルキー１７ｆは、画面に表示された複数の項目から所定の項目を選択するために、上下左右の各方向に対応した４つの操作領域を有している。
【００５４】
そして、カーソルキー１７ｆの４つの操作領域のいずれかを選択的に操作することにより、その操作された操作領域に対応した方向に存在する電子番組表が、画面上に順次スクロールされて表示される。
【００５５】
また、リモートコントローラ１７のページ切換キー１７ｉは、カーソルキー１７ｆの４つの操作領域にそれぞれ対応した位置に配置された４種類のキーで構成されている。つまり、ページ切換キー１７ｉは、上下左右の各方向に対応した４つのキーを備えている。
【００５６】
そして、４つのページ切換キー１７ｉのいずれかを選択的に操作することにより、現在画面に表示されている電子番組表を、その操作されたページ切換キー１７ｉに対応した方向に存在し、現在表示されている番組表に連続する電子番組表の部分に、一気にページ切り換えを行なうことが可能となる。
【００５７】
以下、ページ切換キー１７ｉが操作された場合について説明する。すなわち、上記ステップＳ４ｂで電子番組表の一部分が画面表示された状態において、制御部６１は、ステップＳ４ｃで、リモートコントローラ１７のページ切換キー１７ｉが操作されたことを検知すると、ステップＳ４ｄで、上下左右のいずれの方向に対応したページ切換キー１７ｉが操作されたかを判別する。
【００５８】
そして、左または右方向に対応したページ切換キー１７ｉが操作されたと判断された場合、制御部６１は、ステップＳ４ｅで、現在画面に表示されている電子番組表を、その左側または右側に連続して存在する部分を表示させるようにページ切り換えを行なって、処理を終了（ステップＳ４ｉ）する。
【００５９】
図６は、図５に示すような電子番組表の表示状態で、右方向に対応したページ切換キー１７ｉが操作されたことによりページ切り換えが行なわれた後の表示画面を示している。すなわち、各時間領域Ｎ１〜Ｎ５は、それぞれ午前９時〜午後１時に対応したままで、各チャンネル番号表示領域Ａ１〜Ｆ１、放送局名表示領域Ａ２〜Ｆ２及び番組表示領域Ａ３〜Ｆ３が、図５に表示された電子番組表の右側に連続する部分に切り換えられている。
【００６０】
また、上記ステップＳ４ｄで上または下方向に対応したページ切換キー１７ｉが操作されたと判断された場合、制御部６１は、ステップＳ４ｆで、上または下方向へのページ切り換えが可能か否かを判別する。
【００６１】
そして、上または下方向へのページ切り換えが可能であると判断された場合（ＹＥＳ）、制御部６１は、ステップＳ４ｇで、現在画面に表示されている電子番組表を、その上側または下側に連続して存在する部分を表示させるようにページ切り換えを行なって、処理を終了（ステップＳ４ｉ）する。
【００６２】
また、上記ステップＳ４ｆで上または下方向へのページ切り換えが不可であると判断された場合（ＮＯ）、制御部６１は、ステップＳ４ｈで、上または下方向へのページ切り換えを実行せずに、現在の電子番組表の表示状態を維持して処理を終了（ステップＳ４ｉ）する。
【００６３】
図７は、図５に示すような電子番組表の表示状態で、下方向に対応したページ切換キー１７ｉが操作されたことによりページ切り換えが行なわれた後の表示画面を示している。すなわち、各チャンネル番号表示領域Ａ１〜Ｆ１及び放送局名表示領域Ａ２〜Ｆ２は、それぞれ図５に示す内容を維持したままで、各時間領域Ｎ１〜Ｎ５及び番組表示領域Ａ３〜Ｆ３が、図５に表示された電子番組表の下側に連続する部分に切り換えられている。
【００６４】
図８は、ＥＰＧ情報から作成した電子番組表を、映像表示器１４の画面に切り換え表示させる様子を模式的に示している。図８に示す電子番組表では、水平方向に受信可能な全てのチャンネルを配列したチャンネル軸を設置し、垂直方向に日時を配列した日時軸を設置している。
【００６５】
ここで、一般的には、放送される各チャンネルのそれぞれに対して、約１週間分の電子番組表が作成可能となるようにＥＰＧ情報が送出される。このため、現在が１０月１４日（水）であるとすれば、日時軸には、１０月１４日（水）から１週間先である１０月２１日（水）までの日時が順次配列される。
【００６６】
映像表示器１４の画面には、この電子番組表の中から６チャンネル×５時間分の領域１４ａが表示されることになる。そして、この領域１４ａが、リモートコントローラ１７のページ切換キー１７ｉが操作されたとき、その操作されたページ切換キー１７ｉに対応した方向で、先の表示位置に隣接する位置に移動される。
【００６７】
この場合、例えば、右方向に対応したページ切換キー１７ｉが操作される毎に、領域１４ａは、図８に矢印７３ａで示すように、電子番組表上を順次右方向に移動し、電子番組表の右端部に到達する。
【００６８】
この状態で、さらに、右方向に対応したページ切換キー１７ｉが操作されると、表示領域１４ａは、電子番組表の同じ時間帯の左端部に出現し、以後、右方向に対応したページ切換キー１７ｉが操作される毎に、図８に矢印７３ｂで示すように、電子番組表上を順次右方向に移動するという、循環的な切り換え表示が行なわれる。
【００６９】
また、左方向に対応したページ切換キー１７ｉが操作される毎に、領域１４ａは、図８に矢印７４ａで示すように、電子番組表上を順次左方向に移動し、電子番組表の左端部に到達する。
【００７０】
この状態で、さらに、左方向に対応したページ切換キー１７ｉが操作されると、表示領域１４ａは、電子番組表の同じ時間帯の右端部に出現し、以後、左方向に対応したページ切換キー１７ｉが操作される毎に、図８に矢印７４ｂで示すように、電子番組表上を順次左方向に移動するという、循環的な切り換え表示が行なわれる。
【００７１】
すなわち、先に述べた図４のステップＳ４ｅでは、右または左方向に対応したページ切換キー１７ｉが操作された場合、右または左方向に電子番組表を循環的に切り換え表示する動作が行なわれる。
【００７２】
また、上方向に対応したページ切換キー１７ｉが操作される毎に、領域１４ａは、図８に矢印７５で示すように、電子番組表上を順次上方向に移動して切り換え表示が行なわれる。
【００７３】
この場合、既に過去になった時間帯、つまり、図８では１０月１４日（水）の午前９時以前の時間帯には、上方向に対応したページ切換キー１７ｉを操作しても、領域１４ａが移動しないように制御される。つまり、過去の電子番組表は表示されないようになされている。
【００７４】
さらに、下方向に対応したページ切換キー１７ｉが操作される毎に、領域１４ａは、図８に矢印７６で示すように、電子番組表上を順次下方向に移動して切り換え表示が行なわれる。
【００７５】
この場合、ＥＰＧ情報がまだ取得されずに電子番組表が作成されていない時間帯、つまり、図８では１０月２１日（水）の午前９時以降の時間帯には、下方向に対応したページ切換キー１７ｉを操作しても、領域１４ａが移動しないように制御される。つまり、作成されている電子番組表だけに対して切り換え表示することを可能としている。
【００７６】
すなわち、先に述べた図４のステップＳ４ｆでは、上または下方向に対応したページ切換キー１７ｉが操作された場合、領域１４ａの移動先が、既に過去になった時間帯、または、ＥＰＧ情報がまだ取得されずに電子番組表が作成されていない時間帯であるか否かを判別している。
【００７７】
上記した実施の形態によれば、上下左右の各方向に対応した４つのページ切換キー１７ｉのいずれかを選択的に操作することにより、現在画面に表示されている電子番組表を、その操作されたページ切換キー１７ｉに対応した方向に存在し、現在表示されている番組表に連続する電子番組表の部分に、一気にページ切り換えを行なうことができる。このため、電子番組表の表示領域を容易な操作で効率的に切り換え可能とし、ユーザにとっての取り扱いを便利にすることが可能となる。
【００７８】
図９は、上記した実施の形態の変形例を示している。すなわち、リモートコントローラ１７に、上下左右の各方向に対応した４つのページ切換キー１７ｉに加えて、右斜め上、左斜め上、右斜め下、左斜め下の各方向に対応した４つのページ切換キー１７ｑを設置している。
【００７９】
これらのページ切換キー１７ｉ，１７ｑを設置することにより、電子番組表上で領域１４ａを、上下左右の４方向及び斜めの４方向の８方向に移動するページ切り換えを行なうことができるので、より一層、電子番組表の表示領域を容易な操作で効率的に切り換えることが可能となる。
【００８０】
また、図１０に示すように、リモートコントローラ１７にジョイスティック構造のページ切換キー１７ｒを設置するようにすれば、任意の方向へのページ切り換えを可能とすることができる。
【００８１】
さらに、ページ切り換えは、一気に表示内容を切り換える形態に限らず、例えば、現在の表示内容から、ページ切換キー１９ｉの操作に対応した目的位置の表示内容へと、順次切り換わっていく過程を見せるようにしても良いものである。
【００８２】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００８３】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置が電子番組表を切り換え表示する動作を説明するために示すフローチャート。
【図５】同実施の形態におけるデジタルテレビジョン放送受信装置で表示される電子番組表の一例を説明するために示す図。
【図６】同実施の形態におけるページ切り換え後の電子番組表の一例を説明するために示す図。
【図７】同実施の形態におけるページ切り換え後の電子番組表の他の例を説明するために示す図。
【図８】同実施の形態における電子番組表を切り換え表示させる様子を模式的に説明するために示す図。
【図９】同実施の形態におけるデジタルテレビジョン放送受信装置のリモートコントローラの他の例を説明するために示す外観図。
【図１０】同実施の形態におけるデジタルテレビジョン放送受信装置のリモートコントローラのさらに他の例を説明するために示す外観図。
【符号の説明】
【００８４】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ、７３ａ，７３ｂ…矢印、７４ａ，７４ｂ…矢印、７５…矢印、７６…矢印。
【図１】
2006086847.tif 000003
【図２】
2006086847.tif 000004
【図３】
2006086847.tif 000005
【図４】
2006086847.tif 000006
【図５】
2006086847.tif 000007
【図６】
2006086847.tif 000008
【図７】
2006086847.tif 000009
【図８】
2006086847.tif 000010
【図９】
2006086847.tif 000011
【図１０】
2006086847.tif 000012